(57)【特許請求の範囲】
【請求項１】
第１プロトコルを用いてＮＧＮ又はイントラネットの一方を介して第１外部装置と通信する第１ＬＡＮ通信インタフェースと、
前記第１プロトコルとは異なる第２プロトコルを用いて前記ＮＧＮ又はイントラネットの他方を介して第２外部装置と通信する第２ＬＡＮ通信インタフェースと、
前記第１ＬＡＮ通信インタフェースを介して、音声データを送信するための通信の確立を要求する旨の音声データ用信号であるか否かを示す要求形態情報を含み、前記第１外部装置との通信の確立を要求する第１通信確立要求信号を取得する通信確立要求信号取得手段と、
前記第１通信確立要求信号に、前記第２外部装置を示す第２外部装置識別情報が含まれるか否か判定し、前記第１通信確立要求信号に前記第２外部装置識別情報が含まれると判定した場合はさらに、前記第１通信確立要求信号が、音声データ通信用であることを示す要求形態情報を含むか否かを判定する判定手段と、
前記判定手段が、前記第１通信確立要求信号に音声データ通信用であることを示す要求形態情報が含まれると判定した場合に、前記第１プロトコルを用いた前記第１通信確立要求信号を、前記第２プロトコルを用いた第２通信確立要求信号に変換するとともに、変換された前記第１通信確立要求信号と前記第１外部装置から送信される画像データとを前記第２外部装置識別情報が示す前記第２外部装置に転送する通信を制御する通信制御手段と、
を有することを特徴とする画像形成装置。
【請求項２】
前記画像形成装置は、さらに、前記第２外部装置識別情報が含まれない場合に、前記第１外部装置から送信される前記画像データが示す画像が形成された媒体を出力する出力手段を有する、ことを特徴とする請求項１に記載の画像形成装置。
【請求項３】
前記判定手段は、さらに、前記第１外部装置を示す第１外部装置識別情報が予め前記画像形成装置に登録されているか否かを判定し、
前記通信制御手段は、前記判定手段が登録されていると判定した場合にのみ、前記第１外部装置との通信を制御する、
ことを特徴とする請求項１または２に記載の画像形成装置。
【請求項４】
前記画像形成装置は、さらに
前記ＮＧＮ又はイントラネットの一方を介して行う通信の帯域幅を示す第１帯域幅情報を取得する第１帯域幅情報取得手段と、
前記ＮＧＮ又はイントラネットの他方を介して行う通信の帯域幅を示す第２帯域幅情報を取得する第２帯域幅情報取得手段と、を有し、
前記通信制御手段は、前記第１帯域幅情報と前記第２帯域幅情報の示す帯域幅の小さい方の帯域幅を用いて、前記第１外部装置及び前記第２外部装置との通信を制御する、
ことを特徴とする請求項１乃至３のいずれかに記載の画像形成装置。
【請求項５】
前記判定手段は、さらに、該第２外部装置識別情報が予め前記画像形成装置に登録されているか否かを判定し、
前記通信制御手段は、前記判定手段が登録されていると判定した場合にのみ、前記第１外部装置及び前記第２外部装置との通信を制御する、
ことを特徴とする請求項１、２または４のいずれかに記載の画像形成装置。
【請求項６】
前記通信制御手段は、さらに、前記第１外部装置から取得した前記画像データを、前記第１外部装置識別情報を付与したデータに変換し、該変換したデータを前記第２外部装置識別情報が示す前記第２外部装置に転送する通信を制御する、ことを特徴とする請求項３に記載の画像形成装置。
【請求項７】
前記判定手段は、さらに、前記第２外部装置識別情報が示す前記第２外部装置が通信中か否かを判定し、
前記通信制御手段は、前記判定手段が通信中でないと判定した場合には、前記転送する通信を制御し、前記判定手段が通信中と判定した場合には、前記送信された画像データを一旦保持し、インタネットファクス（ダイレクトＳＭＴＰ）にて転送する、ことを特徴とする請求項１乃至６のいずれかに記載の画像形成装置。
【請求項８】
第１プロトコルを用いてＮＧＮ又はイントラネットの一方を介して第１外部装置と通信する第１ＬＡＮ通信インタフェース、
前記第１プロトコルとは異なる第２プロトコルを用いて前記ＮＧＮ又はイントラネットの他方を介して第２外部装置と通信する第２ＬＡＮ通信インタフェース、
前記第１ＬＡＮ通信インタフェースを介して、音声データを送信するための通信の確立を要求する旨の音声データ用信号であるか否かを示す要求形態情報を含み、前記第１外部装置との通信の確立を要求する第１通信確立要求信号を取得する通信確立要求信号取得手段、
前記第１通信確立要求信号に、前記第２外部装置を示す第２外部装置識別情報が含まれるか否か判定し、前記第１通信確立要求信号に前記第２外部装置識別情報が含まれると判定した場合はさらに、前記第１通信確立要求信号が、音声データ通信用であることを示す要求形態情報を含むか否かを判定する判定手段、
前記判定手段が、前記第１通信確立要求信号に音声データ通信用であることを示す要求形態情報が含まれると判定した場合に、前記第１プロトコルを用いた前記第１通信確立要求信号を、前記第２プロトコルを用いた第２通信確立要求信号に変換するとともに、変換された前記第１通信確立要求信号と前記第１外部装置から送信される画像データとを前記第２外部装置識別情報が示す前記第２外部装置に転送する通信を制御する通信制御手段、
としてコンピュータを機能させるためのプログラム。
【発明の詳細な説明】
【技術分野】
【０００１】
本発明は、画像形成装置及び画像形成プログラムに関する。
【背景技術】
【０００２】
従来、ＩＰネットワーク上で画像データを送受信するＩＰＦＡＸは、ＶｏＩＰ−ＧＷ装置経由の通信に対応する為、メディアタイプを音声でセッションを確立させた後、当該メディアタイプをＩＰＦＡＸに変更する呼接続手順で通信を行い、その適用範囲をイントラネットに限定していた(以後、イントラＩＰＦＡＸ呼ぶ)。近年、次世代公衆網として、ＮＧＮ（Next Generation Network）が普及するのに伴って、ＮＧＮを介して帯域確保型のデータ通信が行われるようになった。
【０００３】
上記データ通信は、ＮＧＮを介するＩＰＦＡＸ(以後、ＮＧＮ−ＩＰＦＡＸと呼ぶ)を用いて行われる通信であり、ＨＡＴＳ推進会議にて公開されているＮＧＮ端末間相互接続試験要領（Ｔ．３８/ＩＰＦＡＸ）ＡＮＮＥＸの呼接続手順に従う。当該データ通信はイントラＩＰＦＡＸとは呼接続手順が異なる為、上記ＮＧＮ-ＩＰＦＡＸの呼接続手順に対応していないＩＰＦＡＸ装置は、ＮＧＮ-ＩＰＦＡＸ通信ができない。従って、上記ＩＰＦＡＸ装置がＮＧＮ−ＩＰＦＡＸを行うためには、呼接続手順を変換する変換装置が必要となる。当該変換装置として、例えば、下記特許文献１には、イントラＩＰＦＡＸの呼接続手順を、ＮＧＮ-ＩＰＦＡＸ接続手順に変換する専用の送受信制御装置が開示されている。
【先行技術文献】
【特許文献】
【０００４】
【特許文献１】特開２０１２−１００１３８号公報
【発明の概要】
【発明が解決しようとする課題】
【０００５】
従来、イントラＩＰＦＡＸとＮＧＮ-ＩＰＦＡＸの呼接続手順の両方に対応する専用の送受信制御装置は、自身宛てのＩＰＦＡＸを受信することができなかった。また、自身宛てのＩＰＦＡＸを受信する画像形成装置は、通信インタフェースを１つだけ有する構成であって、イントラＩＰＦＡＸとＮＧＮ-ＩＰＦＡＸの呼接続手順の両方に対応するものはなかった。本発明の目的は、複数のネットワークの一方から要求を受けた場合に、必要に応じて、他方のネットワークに当該要求を転送する画像形成装置及びプログラムを提供することにある。
【課題を解決するための手段】
【０００６】
請求項１に記載の画像形成装置は、第１プロトコルを用いて第１ネットワークを介して第１外部装置と通信する第１通信インタフェースと、前記第１プロトコルとは異なる第２プロトコルを用いて第２ネットワークを介して第２外部装置と通信する第２通信インタフェースと、前記第１通信インタフェースを介して、前記第１外部装置との通信の確立を要求する第１通信確立要求信号を取得する通信確立要求信号取得手段と、前記通信確立要求信号に、前記第２外部装置を示す第２外部装置識別情報を含むか否かを判定する判定手段と、前記判定手段による判定に応じて、前記第１プロトコルを用いた前記第１通信確立要求信号を、前記第２プロトコルを用いた第２通信確立要求信号に変換するとともに、変換された前記第１通信確立要求信号と前記第１外部装置から送信される画像データとを前記第２外部装置識別情報が示す前記第２外部装置に転送する通信を制御する通信制御手段と、を有することを特徴とする。
【０００７】
請求項２に記載の画像形成装置は、請求項１に記載の画像形成装置であって、前記画像形成装置は、さらに、前記第２外部装置識別情報が含まれない場合に、前記第１外部装置から送信される前記画像データが示す画像が形成された媒体を出力する出力手段を有することを特徴とする。
【０００８】
請求項３に記載の画像形成装置は、請求項１または２に記載の画像形成装置であって、前記判定手段は、さらに、前記第１外部装置を示す第１外部装置識別情報が予め前記画像形成装置に登録されているか否かを判定し、前記通信制御手段は、前記判定手段が登録されていると判定した場合にのみ、前記第１外部装置との通信を制御することを特徴とする。
【０００９】
請求項４に記載の画像形成装置は、請求項１乃至３のいずれかに記載の画像形成装置であって、前記画像形成装置は、さらに前記第１ネットワークを介して行う通信の帯域幅を示す第１帯域幅情報を取得する第１帯域幅情報取得手段と、前記第２ネットワークを介して行う通信の帯域幅を示す第２帯域幅情報を取得する第２帯域幅情報取得手段と、を有し、前記通信制御手段は、前記第１帯域幅情報と前記第２帯域幅情報の示す帯域幅の小さい方の帯域幅を用いて、前記第１外部装置及び前記第２外部装置との通信を制御することを特徴とする。
【００１０】
請求項５に記載の画像形成装置は、請求項１、２または４のいずれかに記載の画像形成装置であって、前記判定手段は、さらに、該第２外部装置識別情報が予め前記画像形成装置に登録されているか否かを判定し、前記通信制御手段は、前記判定手段が登録されていると判定した場合にのみ、前記第１外部装置及び前記第２外部装置との通信を制御することを特徴とする。
【００１１】
請求項６に記載の画像形成装置は、請求項１乃至５のいずれかに記載の画像形成装置であって、前記通信制御手段は、さらに、前記第１外部装置から取得した前記画像データを、前記第１外部装置識別情報を付与したデータに変換し、該変換したデータを前記第２外部装置識別情報が示す前記第２外部装置に転送する通信を制御することを特徴とする。
【００１２】
請求項７に記載の画像形成装置は、請求項１乃至６のいずれかに記載の画像形成装置であって、前記判定手段は、さらに、前記第２外部装置識別情報が示す前記第２外部装置が通信中か否かを判定し、前記通信制御手段は、前記判定手段が通信中でない判定した場合には、前記転送する通信を制御し、前記判定手段が通信中と判定した場合には、前記送信された画像データを一旦保持し、インタネットファクス（ダイレクトＳＭＴＰ）にて転送することを特徴とする。
【００１３】
請求項８に記載の画像形成プログラムは、第１プロトコルを用いて第１ネットワークを介して第１外部装置と通信する第１通信インタフェース、前記第１プロトコルとは異なる第２プロトコルを用いて第２ネットワークを介して第２外部装置と通信する第２通信インタフェース、前記第１通信インタフェースを介して、前記第１外部装置との通信の確立を要求する第１通信確立要求信号を取得する通信確立要求信号取得手段、前記通信確立要求信号に、前記第２外部装置を示す第２外部装置識別情報を含むか否かを判定する判定手段、前記識別情報判定手段による判定に応じて、前記第１プロトコルを用いた前記第１通信確立要求信号を、前記第２プロトコルを用いた第２通信確立要求信号に変換するとともに、変換された前記第１通信確立要求信号と前記第１外部装置から送信される画像データとを前記第２外部装置識別情報が示す前記第２外部装置に転送する通信を制御する通信制御手段としてコンピュータを機能させるための画像形成プログラム、であることを特徴とする。
【発明の効果】
【００１４】
請求項１及び８に係る発明によれば、複数のネットワークの一方から要求を受けた場合に、必要に応じて、他方のネットワークに当該要求を転送する。
【００１５】
請求項２に係る発明によれば、複数のネットワークの一方から受けた要求が他方のネットワークに対する要求でない場合に、自機において、画像が形成された媒体を出力する。
【００１６】
請求項３に係る発明によれば、予め登録されていない装置が成りすまして転送することを防止する。
【００１７】
請求項４に係る発明によれば、通信回線の帯域制限オーバーを防止する。
【００１８】
請求項５に係る発明によれば、予め登録されていない装置への転送を防止する。
【００１９】
請求項６に係る発明によれば、画像データの送信先に関する情報を、画像データを受信したユーザが知覚する。
【００２０】
請求項７に係る発明によれば、受信側の装置がＩＰＦＡＸ通信中であっても、別のＰ２Ｐ通信方式を選択することによって、リアルタイム性が損なわれないようにする。
【図面の簡単な説明】
【００２１】
【図１】画像形成装置のハードウェア構成及び画像形成装置に接続される装置の一例を説明するための図である。
【図２】制御部の機能的構成について説明するための図である。
【図３】画像データに付与されるヘッダー情報の一例を説明するための図である。
【図４】画像形成装置が行う処理を説明するためのフローチャートの一例である
【図５】画像形成装置において行われる登録処理を説明するためのフローチャートの一例である。
【図６】画像データを転送する処理に関する実施例を説明するためのフローチャートの一例である。
【図７】画像データを転送する処理に関する実施例を説明するためのフローチャートのその他の一例である。
【図８】画像データを転送する処理に関する実施例を説明するためのフローチャートのその他の一例である。
【発明を実施するための形態】
【００２２】
以下、本発明を実施するための好適な実施の形態（以下、実施例という）を、図面に従って説明する。
【００２３】
［１．画像形成装置のハードウェア構成］
本発明の実施例について図面を参照しながら説明する。図１は、本発明に係る画像形成装置１００のハードウェア構成及び画像形成装置１００に接続される装置の一例を示す図である。図１に示すように、画像形成装置１００は、制御部１０１、表示部１０２、入力部１０３、記憶部１０４、読取部１０５、印刷部１０６、及び通信部１０７を含んで構成される。画像形成装置１００は、図１に示す構成の他にも、操作部や電源スイッチ等を含んで構成されるようにしてもよい。
【００２４】
制御部１０１は、ＣＰＵ（Central Processing Unit）を含み、記憶部１０４に記憶されたプログラムに基づいて、各種の演算処理を実行するとともに画像形成装置１００の各部を制御する。制御部１０１の詳細については後述する。
【００２５】
表示部１０２は、液晶ディスプレイ等の表示装置により実現され、制御部１０１による情報処理の結果（画面）を表示させる。
【００２６】
入力部１０３は、タッチパネル、ボタンキー等の入力装置により実現され、ユーザからの操作入力を受け付ける。
【００２７】
記憶部１０４は、例えば、ＲＯＭやＲＡＭ、ハードディスクなどの情報記録媒体で構成され、制御部１０１によって実行されるプログラムを保持する情報記録媒体である。また、記憶部１０４は、例えば、制御部１０１のワークメモリとしても動作する。なお、記憶部１０４としては、種々のメモリが適用可能である。例えば、半導体メモリ等の記憶装置によって、記憶部１０４が実現されるようにしてもよい。また、本実施例において記憶部１０４に記憶されることとして説明するプログラムや各種データは、通信部１０７を介して外部装置から取得されるようにしてもよいし、外部記憶媒体から取得されるようにしてもよい。
【００２８】
読取部１０５は、スキャナ等によって構成される。読取部１０５は、用紙等の対象物を光学的に走査することにより、対象物の画像を読み取る。
【００２９】
印刷部１０６は、紙などのシート（記録媒体）に画像を形成するための印刷手段等で構成される。印刷部１０６は、制御部１０１に基づいて、画像データ等を紙などのシートに印刷する。
【００３０】
通信部１０７は、複数の通信インタフェースにより構成され、画像形成装置１００に接続される外部装置と有線又は無線データ通信を行う。例えば、図１に示すように、通信部１０７は、第１通信インタフェース１０８と第２通信インタフェース１０９を含む。また、各通信インタフェースは、例えば、ＮＩＣ（Network Interface Card）等により構成される。第１通信インタフェース１０８は、第１プロトコルを用いて後述する第１ネットワーク１１０を介して第１外部装置１１２と通信する。また、第２通信インタフェース１０９は、第２プロトコルを用いて後述する第２ネットワーク１１１を介して第２外部装置１１３と通信する。第１及び第２プロトコルは、具体的には、例えば、ＳＩＰ（session initiation protocol）であって、ＩＴＵ−Ｔ勧告のＴ．３８及びＴ．３７通信用のプロトコルである。第１プロトコル及び第２プロトコルは、状況に応じて異なるプロトコルを用いるが、詳細については後述する。
【００３１】
なお、図１には、通信部１０７が２つの通信インタフェースを含む場合について記載しているが、通信部１０７に含まれるインタフェースの数は、複数であればよく、３つ以上であってもよい。また、通信部１０７に含まれる各通信インタフェースは、それぞれ物理インタフェースであっても、論理インタフェースであっても構わない。
【００３２】
第１ネットワーク１１０及び第２ネットワーク１１１は、ＬＡＮ（Local Area Network）、インターネット、イントラネット、又はＮＧＮ等である。
【００３３】
第１外部装置１１２及び第２外部装置１１３は、ＰＣや印刷装置、スキャナ等により構成される。なお、第１外部装置１１２及び第２外部装置１１３は、携帯端末や、サーバコンピュータ等であっても構わない。また、各ネットワークに接続される外部装置の数は、複数であっても構わない。
【００３４】
［２．制御部において実現される機能］
図２は、画像形成装置１００の機能的なブロック図である。図２に示すように、制御部１０１は、機能的に、外部装置登録信号取得部２０１と、外部装置登録部２０２と、通信確立要求信号取得部２０３と、判定部２０４と、通信制御部２０５と、出力部２０６と、を含む。また、記憶部１０４は、機能的に、認証情報記憶部２０７を含む。図２に示す各機能は、記憶部１０４に記憶されたプログラムが、制御部１０１により実行されることによって実現される。
【００３５】
外部装置登録信号取得部２０１は、第１外部装置１１２または第２外部装置１１３から、第１外部装置識別情報と、機能情報と、を含む外部装置登録信号を取得する。ここで、第１外部装置識別情報は、画像形成装置１００に登録する第１外部装置１１２または第２外部装置１１３を識別する情報である。具体的には、例えば、第１外部装置識別情報は、当該外部装置のＳＩＰアドレス(論理アドレス）やコンタクトアドレス（実際のアドレス）を示す情報である。機能情報は、ＩＰネットワークを介して画像データの送受信を行うＩＰＦＡＸやインターネットファクス（ダイレクトＳＭＴＰ）機能を有するか否か示す情報である。
【００３６】
具体的には、例えば、外部装置登録信号取得部２０１は、「１２３４＠example.com」という内線番号を示すＳＩＰアドレスや「１２３４＠１９２．１６８．１．１０」というＩＰアドレスを示すコンタクトアドレスの第１外部装置識別情報と、「ＩＰＦＡＸ」という機能情報と、を含む外部装置登録信号を取得する。
【００３７】
外部装置登録部２０２は、外部装置登録信号取得部２０１が取得した外部装置登録信号に基づいて、外部装置に関する情報を登録する。具体的には、例えば、外部装置登録信号取得部２０１が上記のような外部装置登録信号を取得すると、外部装置登録部２０２は、「１２３４＠example.com」や「１２３４＠１９２．１６８．１．１０」という第１外部装置識別情報と、「ＩＰＦＡＸ」という機能情報を関連付けて、記憶部１０４に登録する。なお、外部装置登録部２０２は、画像形成装置１００の外部にある記憶部１０４に登録する構成としてもよい。
【００３８】
また、外部装置登録部２０２は、登録する際に認証を行い、認証された外部装置識別信号のみ登録するようにしてもよい。具体的には、例えば、外部装置登録部２０２は、外部装置登録信号とともにユーザＩＤやパスワードを取得し、当該ユーザＩＤ及びパスワードが予め設定された認証情報に含まれる場合に、取得した外部装置識別信号に基づいて、外部装置に関する情報を登録するようにしてもよい。
【００３９】
通信確立要求信号取得部２０３は、第１外部装置１１２から、コンタクトアドレス情報と、要求形態情報と、第２外部装置識別情報と、を含む第１通信確立要求信号を取得する。コンタクトアドレス情報は、第１通信確立要求信号の送信先を表す情報である。例えば、コンタクトアドレス情報は、「１２３４＠１９２．１６８．１．１０」という送信先を表す情報である。
【００４０】
要求形態情報は、第１通信確立要求信号が、音声データを送信するための通信の確立を要求する旨の信号であるか、画像データを送信するための通信の確立を要求する旨の信号であるかを示す情報である。具体的には、例えば、要求形態情報は、ＳＩＰを用いた、音声データ通信用またはＴ．３８接続用の通信の確立を要求するＩＮＶＩＴＥメッセージに含まれる情報であって、音声データ通信用であれば「ｍ＝ａｕｄｉｏ」という情報でありＴ．３８接続用であれば「ｍ＝ｉｍａｇｅ」という情報である。
【００４１】
第２外部装置識別情報は、画像データの送信先として指定される第２外部装置１１３を識別する情報である。具体的には、例えば、第２外部装置識別情報は、ＩＮＶＩＴＥメッセージに含まれる「ＩＰＦＡＸ＝０４８２２２２２２２」という情報である。なお、「ＩＰＦＡＸ＝」の後に続く数値はＩＰＦＡＸの送信先の外線番号を示し、宛先に応じて変更される情報である。また、第２外部装置識別情報は、例えば、ＩＮＶＩＴＥメッセージに含まれる「０４８２２２２２２２；ｉｓｕｂ＝１２３４」という情報であってもよい。上記と同様に、「ｉｓｕｂ＝」の前の数値はＩＰＦＡＸの送信先の外線番号を表し、「ｉｓｕｂ＝」の後の「１２３４」という数値は、ＩＰＦＡＸの送信先の内線番号を表し、いずれも宛先に応じて変更することはいうまでもない。なお、第１通信確立要求信号は、第２外部装置識別情報を含まなくてもよい。
【００４２】
判定部２０４は、第１通信確立要求信号に、第２外部装置１１３を示す第２外部装置識別情報を含むか否かを判定する。具体的には、例えば、判定部２０４は、第１通信確立要求信号に、「ＩＰＦＡＸ＝０４８２２２２２２２」や「０４８２２２２２２２；ｉｓｕｂ＝１２３４」という情報が含まれるが否かを判定する。また、判定部２０４は、通知確立要求信号に、音声データ通信用の要求形態情報を含むか、Ｔ．３８接続用の要求形態情報を含むか、そのいずれも含まないかを判定する。具体的には、例えば、判定部２０４は、ＩＮＶＩＴＥメッセージに「ｍ＝ａｕｄｉｏ」という情報が含まれるか、「ｍ＝ｉｍａｇｅ」という情報が含まれるか、そのいずれも含まないかを判定する。
【００４３】
なお、判定部２０４は、第２外部装置識別情報が内線のネットワークに接続された装置を示す場合、第２外部装置識別情報が予め画像形成装置１００に登録されているか否かを判定してもよい。具体的には、外部装置登録部２０２に登録された第１外部装置識別情報が、取得した第２外部装置識別情報に含まれるか否かを判定する。例えば、上記のように、「１２３４＠example.com」という第１外部装置識別情報と、「ＩＰＦＡＸ」という機能情報と、が関連付けて登録されている場合について説明する。ここで、通信確立要求信号取得部２０３が「０４８２２２２２２２；ｉｓｕｂ＝１２３４」という第２外部装置識別情報が含まれる第１通信確立要求信号を取得すると、登録されている第１外部装置識別情報に含まれる「１２３４」は、第２外部装置識別情報に含まれることから、判定部２０４は、予め画像形成装置１００に登録されていると判定する。
【００４４】
また、判定部２０４は、第２外部装置識別情報が外線のネットワークに接続された装置を示す場合、第１外部装置識別情報が予め画像形成装置１００に登録されているか否かを判定してもよい。具体的には、外部装置登録部２０２に登録された第１外部装置識別情報のコンタクトアドレスが、第１プロトコルを用いた第１通信確立要求信号に含まれるか否かを判定する。例えば、上記のように、「１２３４＠１９２．１６８．１．１０」という第１外部装置識別情報と、「ＩＰＦＡＸ」という機能情報と関連付けて登録されている場合について説明する。ここで、通信確立要求信号取得部２０３が「ＩＰＦＡＸ＝０４８２２２２２２２」という第２外部装置識別情報が含まれる第１通信確立要求信号を取得すると、登録されている第１外部装置識別情報「１２３４＠１９２．１６８．１．１０」は前記第１通信確立要求信号のコンタクトアドレスと同一であることから、判定部２０４は、予め画像形成装置１００に登録されていると判定する。
【００４５】
さらに、判定部２０４は、第２外部装置識別情報が内線のネットワークに接続された装置を示す場合、第２外部装置識別情報が示す第２外部装置１１３が通信中か否かを判定してもよい。具体的には、判定部２０４は、画像形成装置１００と第２外部装置１１３との間で通信が確立され、データを送受信する準備がされている状態であるか否かを判定する。例えば、判定部２０４は、第２外部装置１１３から「１８６  ＢＵＳＹ」メッセージを送信された場合に、第２外部装置１１３が通信中と判定する。
【００４６】
通信制御部２０５は、判定部２０４による判定に応じて、第１プロトコルを用いた第１通信確立要求信号を、第２プロトコルを用いた第２通信確立要求信号に変換するとともに、変換された第１通信確立要求信号と第１外部装置１１２から送信される画像データとを第２外部装置識別情報が示す第２外部装置１１３に転送する通信を制御する。
【００４７】
具体的には、例えば、通信制御部２０５は、「１９２．１６８．１．１０」というＩＰアドレス、及び、「１２３４」という内線番号が設定された第１外部装置１１２から、「１９２．１６８．１．１１」というＩＰアドレス、及び、「０４５１１１１１１１」という外線番号が設定された画像形成装置１００に第１通信確立要求信号が送信された場合について説明する。ここで、通信制御部２０５は、「ＩＰＦＡＸ＝０４８２２２２２２２＠１９２．１６８．１．１１」及び「ｍ＝ａｕｄｉｏ」という情報を有するＩＮＶＩＴＥメッセージを含む第１通信確立要求信号を取得したとする。この場合、判定部２０４は、第１通信確立要求信号に「ＩＰＦＡＸ＝０４８２２２２２２２」という第２外部装置識別情報及び「ｍ＝ａｕｄｉｏ」という要求形態情報が含まれると判定する。そして、通信制御部２０５は、当該第１通信確立要求信号を「０４８２２２２２２２」及び「ｍ＝ｉｍａｇｅ」という情報を有するＩＮＶＩＴＥメッセージを含む第２通信確立要求信号に変換する。そして、通信制御部２０５は、変換された第２通信確立要求信号と第１外部装置１１２から送信される画像データとを第２外部装置識別情報が示す第２外部装置１１３に転送する通信を制御する。
【００４８】
なお、通信制御部２０５は、第２外部装置識別情報が予め画像形成装置１００に登録されていると判定された場合にのみ、第１外部装置１１２または第２外部装置１１３との通信を制御してもよい。具体的には、上記例のように、第１通信確立要求信号が「０４８２２２２２２２；ｉｓｕｂ＝１２３４」という第２外部装置識別情報を含み、「１２３４」を含む第１外部装置識別情報が登録されている場合にのみ、通信制御部２０５は、第２外部装置１１３との通信を制御してもよい。また、第１通信確立要求信号が「ＩＰＦＡＸ＝０４８２２２２２２２」という第２外部装置識別情報、及びコンタクトアドレス「１２３４＠１９２．１６８．１．１０」を含み、前記コンタクトアドレスと同一の第１外部装置識別情報が登録されている場合にのみ、通信制御部２０５は、第１外部装置１１２との通信を制御してもよい。
【００４９】
また、通信制御部２０５は、第１帯域幅情報と第２帯域幅情報の示す帯域幅の小さい方の帯域幅を用いて、第１外部装置１１２及び第２外部装置１１３との通信を制御するようにしてもよい。具体的には、第１外部装置１１２と画像形成装置１００のネゴシエーションで決定される第１ネットワーク１１０を介して行う通信の帯域幅が「２０００」であり、第２外部装置１１３と画像形成装置１００のネゴシエーションで決定される第２ネットワーク１１１を介して行う通信の帯域幅が「１０００」である場合、通信制御部２０５は、第１帯域幅情報と第２帯域幅情報の示す帯域幅の小さい方の「１０００」という帯域幅を用いて、第１外部装置１１２及び第２外部装置１１３との通信を制御するようにしてもよい。
【００５０】
また、通信制御部２０５は、第１外部装置１１２から取得した画像データを、第１外部装置１１２を示す外部装置識別情報を付与したデータに変換し、該変換したデータを第２外部装置識別情報が示す第２外部装置１１３に転送する通信を制御してもよい。具体的には、例えば、変換部は、第１外部装置１１２から取得したデータを、図３に示すような「富士ゼロックス  横浜支店: ＜０４５１１１１１１１１；ｉｓｕｂ=１２３４＞」というテキストデータを含むヘッダー情報を付加したデータに変換してもよい。上記により、変換されたデータが画像形成装置１００を介して第２外部装置１１３に送信されると、データを受信したユーザによって、内線番号などの当該データの送信元の情報が知覚される。
【００５１】
さらに、通信制御部２０５は、第２外部装置識別情報が内線のネットワークに接続された装置を示す場合、第２外部装置識別情報の示す第２外部装置１１３が通信中でないと判定された場合には、転送する通信を制御し、通信中と判定された場合には、送信された画像データを一旦保持し、インターネットファクス(ダイレクトＳＭＴＰ)にて転送してもよい。具体的には、例えば、第２外部装置識別情報が示す第２外部装置１１３と通信を確立する際に、当該第２外部装置１１３から「１８６  Ｂｕｓｙ」メッセージが送信された場合に、通信制御部２０５は、第１外部装置１１２から送信された画像データを記憶部１０４に一旦保持する。そして、通信制御部２０５は、一旦保持した画像データを当該第２外部装置１１３にインターネットファクス(ダイレクトＳＭＴＰ)にて送信する通信を制御するようにしてもよい。なお、当該動作については、後で詳述する。
【００５２】
出力部２０６は、第１通信確立要求信号に第２外部装置１１３を示す第２外部装置識別情報が含まれない場合に、第１外部装置１１２から送信される画像データが示す画像が形成された媒体を出力する。具体的には、例えば、第１通信確立要求信号に含まれるＩＮＶＩＴＥメッセージに、「ＩＰＦＡＸ＝０４８２２２２２２２」（外線番号は任意）という情報、及び、「０４８２２２２２２２；ｉｓｕｂ＝１２３４」（外線番号及び内線番号は任意）という情報がいずれも含まれない場合に、出力部２０６は、第１外部装置１１２から送信される画像データを印刷部１０６や表示部１０２へ出力する。すなわち、画像データの送信先が画像形成装置１００である場合には、画像形成装置１００が有する印刷部１０６や表示部１０２が、第１外部装置１１２から送信される画像データについて、印刷処理や表示処理を行う。
【００５３】
認証情報記憶部２０７は、外部装置登録部２０２が登録を行う際に用いる認証情報を記憶する。具体的には、例えば、認証情報記憶部２０７は、外部装置登録部２０２が登録を行う際に用いるユーザＩＤやパスワードを記憶する。なお、認証情報記憶部２０７は、画像形成装置１００の外部にある構成としてもよい。
【００５４】
［３−１．画像形成装置において行われる処理］
続いて、画像形成装置１００及び外部装置が行う処理について説明する。図４は、第１ネットワーク１１０に接続された第１外部装置１１２から、画像形成装置１００に第１通信確立要求信号及び画像データが送信された場合における、画像形成装置１００が行う処理を示すフローチャートである。制御部１０１は、記憶部１０４に記憶されたプログラムに従って、図４に示す処理を実行する。なお、図４に示す処理を実行する前提として、外部装置登録部２０２は、「０４８２２２２２２２」という第１外部装置識別情報と、「ＩＰＦＡＸ」という機能情報を関連付けて、記憶部１０４に登録しているものとする。また、画像形成装置１００は、「１９２．１６８．１．１１」というＩＰアドレス、及び、「０４５１１１１１１１」という外線番号が設定されているものとする。さらに、第１外部装置１１２は、「１９２．１６８．１．１０」というＩＰアドレス、及び、「１２３４」という内線番号が設定されているものとする。
【００５５】
まず、通信確立要求信号取得部２０３は、第１外部装置１１２から第１通信確立要求信号を取得する（Ｓ４０１）。具体的には、上記例と同様に、通信確立要求信号取得部２０３は、第１外部装置１１２から、「１２３４＠１９２．１６８．１．１０」というコンタクトアドレス情報、「ｍ＝ａｕｄｉｏ」という要求形態情報、「ＩＰＦＡＸ＝０４８２２２２２２２」という第２外部装置識別情報、を含む第１通信確立要求信号を取得する。
【００５６】
次に、判定部２０４は、第１通信確立要求信号に第２外部装置識別情報が含まれるか否かを判定する。ここで、判定部２０４は、さらに、第２外部装置識別情報が「ＩＰＦＡＸ＝」という情報を含むか、「；ｉｓｕｂ＝」という情報を含むか否かを判定する（Ｓ４０２、Ｓ４０６）。第２外部装置識別情報が「ＩＰＦＡＸ＝」という情報を含む場合はＳ４０３へ進み、第２外部装置識別情報が「；ｉｓｕｂ＝」という情報を含む場合はＳ４０７へ進み、第１通信確立要求信号に第２外部装置識別情報が含まれない場合はＳ４１３へ進む。上記例では、第２外部装置識別情報は「ＩＰＦＡＸ＝０４８２２２２２２２」という情報を含むことから、Ｓ４０３へ進む。
【００５７】
Ｓ４０１において取得したコンタクトアドレス情報が予め画像形成装置１００に登録されているか否かを判定する（Ｓ４０３）。上記例では、「１２３４＠１９２．１６８．１．１０」というコンタクトアドレスが第１外部装置識別情報のコンタクトアドレスと同一であることから、判定部２０４は、登録されていると判定する。
【００５８】
なお、登録されていないと判定された場合はＳ４１２へ進む。Ｓ４１２へ進んだ場合、通信制御部２０５は、第１外部装置１１２に対して、通信が確立できない旨を通知する（Ｓ４１２）。ここで、通信制御部２０５は、第１外部装置１１２が登録されていない旨をあわせて通知するようにしてもよい。
【００５９】
Ｓ４０３において、登録されていると判定された場合、判定部２０４は、第１通信確立要求信号に、音声データ通信用の要求形態情報を含むか、Ｔ．３８接続用の要求形態情報を含むか、そのいずれも含まないかを判定する。（Ｓ４０４，Ｓ４０５）。「ｍ＝ａｕｄｉｏ」を含むと判定された場合はＳ４１１へ進み、「ｍ＝ｉｍａｇｅ」を含むと判定された場合はＳ４１０へ進み、いずれも含まないと判定された場合は、Ｓ４１２へ進み、上記と同様の通知を行う。上記例では、第１通信確立要求信号が「ｍ＝ａｕｄｉｏ」という要求形態情報を含むことから、Ｓ４１１へ進む。
【００６０】
次に、通信制御部２０５は、第１プロトコルを用いた第１通信確立要求信号を、第２プロトコルを用いた第２通信確立要求信号に変換するとともに、変換された第２通信確立要求信号に基づいて通信確立処理を行う（Ｓ４１１）。上記例では、通信制御部２０５は、「ＩＰＦＡＸ＝０４８２２２２２２２」という第２外部装置識別情報及び「ｍ＝ａｕｄｉｏ」という要求形態情報を含む第１通信確立要求信号を、「０４５１１１１１１１；ｉｓｕｂ＝１２３４」及び「ｍ＝ｉｍａｇｅ」という情報を有するＩＮＶＩＴＥメッセージを含む第２通信確立要求信号に変換し、変換された第２通信確立要求信号に基づいて通信確立処理を行う。
【００６１】
一方、Ｓ４０４において「ｍ＝ｉｍａｇｅ」を含むと判定された場合には、ＳＳ４１１と同様に、通信制御部２０５は、第２通信確立要求信号に基づいて通信確立処理を行う（Ｓ４０９）。ここで、通信制御部２０５は、第１通信確立要求信号に含まれる要求形態情報については変換せずに通信確立処理を行う。
【００６２】
次に、通信制御部２０５は、第１外部装置１１２から送信される画像データを第２外部装置識別情報が示す第２外部装置１１３に転送する通信を制御する（Ｓ４１４）。Ｓ４１４における画像データの転送処理が終了すると、通信制御部２０５は、第１外部装置１１２及び第２外部装置１１３との通信を切断する（Ｓ４１５）。Ｓ４１５の後、画像形成装置１００は処理を終了する。
【００６３】
ここで、Ｓ４０２及びＳ４０６において、第２外部装置識別情報が「；ｉｓｕｂ＝」という情報を含むと判定した場合の説明に戻る。この場合、判定部２０４は、Ｓ４０１において取得した第２外部装置識別情報が予め画像形成装置１００に登録されているか否かを判定する（Ｓ４０７）。上記例では、「；isub=１２３４」という第１通信確立要求信号に、「１２３４」という第１外部装置識別情報が含まれることから、判定部２０４は、登録されていると判定する。なお、登録されていないと判定された場合はＳ４１２へ進む。Ｓ４１２へ進んだ場合、通信制御部２０５は、第１外部装置１１２に対して、通信が確立できない旨を通知する（Ｓ４１２）。
【００６４】
次に、判定部は、通知確立要求信号に、Ｔ．３８接続用の要求形態情報を含むか否かを判定する（Ｓ４０８）。Ｓ４０８において、Ｔ．３８接続用の要求形態情報を含むと判定された場合はＳ４０９へ進み、含まないと判定された場合はＳ４１２へ進み、上記と同様の通知を行う。
【００６５】
Ｓ４０８において、Ｔ．３８接続用の要求形態情報を含むと判定された場合は、Ｓ４１１と同様に、通信制御部２０５は、第１プロトコルを用いた第１通信確立要求信号を、第２プロトコルを用いた第２通信確立要求信号に変換するとともに、変換された第２通信確立要求信号に基づいて通信確立処理を行う（Ｓ４０９）。通信確立処理後、Ｓ４１４へ進む。
【００６６】
一方、Ｓ４０２及びＳ４０６において、第１通信確立要求信号に第２外部装置識別情報が含まれないと判定された場合、出力部２０６は、第１外部装置１１２から送信される画像データが示す画像が形成された媒体を出力する（Ｓ４１３）。
【００６７】
上記のように、画像形成装置１００は、第１外部装置１１２から送信された画像データを第２外部装置１１３に転送する処理、または、画像形成装置１００において出力する処理を行う。
【００６８】
［３−２．画像形成装置において行われる登録処理］
続いて、画像形成装置１００と第１外部装置１１２または第２外部装置１１３が行う処理について、より詳細に説明する。登録処理は、画像形成装置１００と同一イントラネットに接続され、かつ、イントラＩＰＦＡＸ機能を備えた外部装置からのみ登録が行われる。
【００６９】
図５は、イントラＩＰＦＡＸ機能を備えた第１外部装置１１２と画像形成装置１００が同一イントラネットに接続されているケースであり、画像形成装置１００に、第１外部装置１１２に関する情報を登録する場合における、画像形成装置１００及び第１外部装置１１２が行う処理を示すフローチャートである。
【００７０】
まず、第１外部装置１１２が起動する（Ｓ５０１）。第１外部装置１１２が起動すると、第１外部装置１１２に予め登録されていた外部装置登録信号とともに、ユーザに入力されたユーザＩＤ及びパスワードが画像形成装置１００に送信される（Ｓ５０２）。なお、外部装置登録信号が送信されるタイミングは、第１外部装置１１２が起動したタイミングに限られず、ユーザによって指定されたタイミングであってもよい。
【００７１】
次に、外部装置登録信号とともにユーザＩＤやパスワードが送信されると、外部装置登録部２０２は、予め設定された認証情報に基づいて認証を行う（Ｓ５０３）。認証が正常に行われた場合には、外部装置登録部２０２は、取得した第１外部装置識別情報に基づいて、第１外部装置１１２に関する情報を登録する。また、Ｓ５０３において、認証がされなかった場合は、通信制御部２０５は、第１外部装置１１２に対してその旨を通知する。
【００７２】
上記のように、第１外部装置１１２が送信した外部装置登録信号に基づいて、外部装置に関する情報が登録される。
【００７３】
［３−３．画像データを転送する処理に関する実施例１］
続いて、図４においてＳ４１１のステップを経由する場合の実施例について、画像形成装置１００、第１外部装置１１２、及び、第２外部装置１１３が行う具体的な処理を、図６に示すフローチャートを用いて、より詳細に説明する。なお、本実施例が実施される具体的なケースとして、例えば、第１外部装置１１２は、画像形成装置１００と同じイントラネットに接続されたＩＰＦＡＸ送信機であり、第２外部装置１１３は、ＮＧＮに接続されたＩＰＦＡＸ受信機であるケースが想定される。また、第１外部装置１１２は、ＩＰＦＡＸを行うための通信を確立する際に、一度音声データ通信用の通信を確立した後、改めてＴ．３８接続用の通信を確立する装置であるケースが想定される。
【００７４】
以下の説明にあたって、図６に示す処理を実行する前提として、画像形成装置１００は、「１９２．１６８．１．１１」というＩＰアドレス、及び、「０４５１１１１１１１」という外線番号が設定されているものとする。
【００７５】
まず、第１外部装置１１２は、第１通信確立要求信号として、ＩＮＶＩＴＥメッセージを画像形成装置１００に送信する（Ｓ６０１）。具体的には、例えば、第１外部装置１１２は、「ＩＰＦＡＸ＝０４８２２２２２２２＠１９２．１６８．１．１１」及び「ｍ＝ａｕｄｉｏ」という情報を有するＩＮＶＩＴＥメッセージを画像形成装置１００に送信する。ここで、第２外部装置識別情報に含まれる「ＩＰＦＡＸ＝」の後の外線番号は、画像データの送信先であり、ＮＧＮに接続された第２外部装置１１３に設定された外線番号を示す。また、アットマーク以下のＩＰアドレスは、イントラネットに接続された画像形成装置１００の所在を示す情報である。すなわち、上記ＩＮＶＩＴＥメッセージは、上記ＩＰアドレスが設定された画像形成装置１００に対して、上記外線番号が設定された第２外部装置１１３との接続を確立する旨を要求する信号であることを示す。
【００７６】
次に、判定部２０４は、図４におけるＳ４０２乃至Ｓ４０５と同様の判定を行う（Ｓ６０２）。ここでは、図４において説明した動作と同様であるため詳細な説明を省略する。
【００７７】
次に、通信制御部２０５は、第１外部装置１１２から取得した第１通信確立要求信号を、第２通信確立要求信号に変換する（Ｓ６０３）。具体的には、上記例では、通信制御部２０５は、上記第１通信確立要求信号を、「０４８２２２２２２２」及び「ｍ＝ｉｍａｇｅ」という情報を有するＩＮＶＩＴＥメッセージを含む第２通信確立要求信号に変換する。ここで、第２外部装置１１３は、ＮＧＮ等を介したＩＰＦＡＸを行う機能を有する装置であることから、通信制御部２０５は、「ｍ＝ｉｍａｇｅ」という情報を有するＩＮＶＩＴＥメッセージに変換する処理を行う。なお、当該ＩＮＶＩＴＥメッセージに「０４５１１１１１１１；ｉｓｕｂ＝１２３４」という送信元の内線番号及び画像形成装置１００の外線番号を示す情報を付与してもよい。
【００７８】
次に、通信制御部２０５は、Ｓ６０３において変換された第２通信確立要求信号を、上記第２外部装置識別情報が示す第２外部装置１１３に対して送信する（Ｓ６０４）。また、第１外部装置１１２に対して、当該第２外部装置１１３との接続の確立を試みていることを示す「１００  Ｔｒｉｎｇ」メッセージを送信する（Ｓ６０５）。そして、Ｓ６０４において、変換された第２通信確立要求信号を取得した第２外部装置１１３は、画像形成装置１００に対して、「１００  Ｔｒｉｎｇ」メッセージ、及び、呼び出し中であることを示す「１８０  Ｒｉｎｇｉｎｇ」メッセージを送信する（Ｓ６０６、Ｓ６０７）。続いて、画像形成装置１００は、第１外部装置１１２に対して「１８０  Ｒｉｎｇｉｎｇ」メッセージを送信する（Ｓ６０８）。
【００７９】
そして、第２外部装置１１３が着呼すると、画像形成装置１００に対して、通信の確立が成功したことを示す「２００  ＯＫ」メッセージを送信する（Ｓ６０９）。ここで、Ｓ６０４における第２接続確立要求信号は、「ｍ＝ｉｍａｇｅ」という情報を有するＩＮＶＩＴＥメッセージを含むことから、Ｓ６０９におけるメッセージは、Ｔ．３８接続用の通信の確立が成功したことを示す情報である。
【００８０】
画像形成装置１００は、第２外部装置１１３から「２００  ＯＫ」メッセージを取得すると、第１外部装置１１２に対して、「２００  ＯＫ」メッセージを送信する（Ｓ６１０）。ここで、Ｓ６０１における第１接続確立要求信号は、「ｍ＝ｕｄｉｏ」という情報を有するＩＮＶＩＴＥメッセージを含むことから、Ｓ６１０におけるメッセージは、音声データ接続用の通信の確立が成功したことを示す情報である。
【００８１】
次に、第１外部装置１１２は、画像形成装置１００に対して、通信の確立が成功したことについて確認することを示す「ＡＣＫ」メッセージを送信する（Ｓ６１１）。また、当該メッセージを取得した画像形成装置１００は、同様に、第２外部装置１１３に対して「ＡＣＫ」メッセージを送信する（Ｓ６１２）。
【００８２】
次に、画像形成装置１００は、第１外部装置１１２に対して、Ｔ．３８接続用の通信の確立を要求することを示すＩＮＶＩＴＥメッセージを送信する（Ｓ６１３）。Ｔ．３８接続用の通信が確立されると、第１外部装置１１２は、画像形成装置１００に対して、「２００  ＯＫ」メッセージを送信する（Ｓ６１４）。ここで、Ｓ６１４におけるメッセージは、Ｔ．３８接続用の通信の確立が成功したことを示す情報である。そして、画像形成装置１００は、第１外部装置１１２に対して、「ＡＣＫ」メッセージを送信する（Ｓ６１５）。すなわち、Ｓ６１３乃至Ｓ６１５のステップにおいて、画像形成装置１００は、第１外部装置１１２と画像形成装置１００の間で一旦確立された音声データ通信用の通信を、Ｔ．３８通信用の通信に切り替える。
【００８３】
Ｓ６１５までのステップによって、第１外部装置１１２と画像形成装置１００との間でＴ．３８接続の通信の確立し、第２外部装置１１３と画像形成装置１００との間でもＴ．３８接続の通信の確立していることから、画像形成装置１００は、第１外部装置１１２から第２外部装置１１３へ、画像データを転送する（Ｓ６１６）。
【００８４】
画像データの転送が終了すると、第１外部装置１１２は、接続を切断することを示す「ＢＹＥ」メッセージを画像形成装置１００に送信する（Ｓ６１７）。同様に、画像形成装置１００は、第２外部装置１１３に対して「ＢＹＥ」メッセージを送信する（Ｓ６１８）。通信が切断されると、第２外部装置１１３は、画像形成装置１００に「２００  ＯＫ」メッセージを送信する（Ｓ６１９）。また、画像形成装置１００は、第１外部装置１１２に「２００  ＯＫ」メッセージを送信する（Ｓ６２０）。
【００８５】
上記のように、第１外部装置１１２と画像形成装置１００との間でＴ．３８接続用の通信の確立し、また、第２外部装置１１３と画像形成装置１００と間でＴ．３８接続用の通信の確立することにより、イントラネットに接続された第１外部装置１１２から、ＮＧＮ等に接続された第２外部装置１１３へ画像データが転送される。
【００８６】
なお、本実施例は上記の実施例に限定されるものではなく、種々の変形が可能である。例えば、上記実施例では、第１通信確立要求信号が第２外部装置識別情報を含む場合について説明したが、第１通信確立要求信号が第２外部装置識別情報を含まない場合は、画像形成装置１００は、第２外部装置１１３との通信を行わない。すなわち、画像形成装置１００は、図６と同様の手順で第１外部装置１１２と通信の確立を行い、接続が切断された後、第１外部装置１１２から送信される画像データが示す画像が形成された媒体を出力する。
【００８７】
また、上記実施例では、第１外部装置１１２から画像形成装置１００への画像データの送信、及び、画像形成装置１００から第２外部装置１１３への画像データの送信の際に、いずれもＩＰＦＡＸを用いる場合について説明した。しかしながら、第１外部装置１１２から画像形成装置１００へ画像データを送信する際に、インターネットＦＡＸを用いて行ってもよい。なお、インターネットＦＡＸは、ＳＭＴＰ（Simple Mail Transfer Protocol）を用いて、メールサーバを介さずにＰ２Ｐ（Peer to Peer）通信によってＦＡＸの送信または受信を行う通信方式である。
【００８８】
さらに、Ｓ６１３において、画像形成装置１００と第２外部装置１１３のネゴシエーションにより決定した第２帯域幅情報を使用して第１外部装置１１２へ帯域幅をオファーすることにより、第１帯域幅情報を決定する。当該決定した第１帯域幅情報(第１帯域幅情報と第２帯域幅情報の示す帯域幅の小さい方)の帯域幅を用いて、第１外部装置１１２及び第２外部装置１１３との通信を確立するメッセージを送信するようにしてもよい。
【００８９】
［３−４．画像データを転送する処理に関する実施例２］
続いて、図４においてＳ４０９のステップを経由する場合の実施例について、画像形成装置１００、第１外部装置１１２、及び、第２外部装置１１３が行う具体的な処理を、図７に示すフローチャートを用いて説明する。なお、本実施例が実施される具体的なケースとして、例えば、第１外部装置１１２は、ＮＧＮに接続されたＩＰＦＡＸ送信機であり、第２外部装置１１３は、画像形成装置１００と同じイントラネットに接続されたＩＰＦＡＸ受信機であるケースが想定される。また、第２外部装置１１３は、ＩＰＦＡＸを行うための通信を確立する際に、一度音声データ通信用の通信を確立した後、改めてＴ．３８接続用の通信を確立する装置であるケースが想定される。
【００９０】
以下の説明にあたって、上記と同様に、画像形成装置１００は、「１９２．１６８．１．１１」というＩＰアドレス、及び、「０４５１１１１１１１」という外線番号が設定されているものとする。また、第２外部装置１１３は、「１９２．１６８．１．１０」というＩＰアドレス、及び、「１２３４」という内線番号が設定されているものとする。
【００９１】
まず、第１外部装置１１２は、第１通信確立要求信号として、ＩＮＶＩＴＥメッセージを画像形成装置１００に送信する（Ｓ７０１）。具体的には、例えば、第１外部装置１１２は、「０４８２２２２２２２；ｉｓｕｂ＝１２３４＠ｅｘａｍｐｌｅ．ｃｏｍ」及び「ｍ＝ｉｍａｇｅ」という情報を有するＩＮＶＩＴＥメッセージを画像形成装置１００に送信する。ここで、第２外部装置識別情報に含まれる外線番号及び「ｉｓｕｂ＝」以下の内線番号は、画像データの送信先を示す。すなわち、上記ＩＮＶＩＴＥメッセージは、画像形成装置１００に対して、上記内線番号が設定された第２外部装置１１３との接続を確立する旨を要求する信号であることを示す。
【００９２】
次に、判定部２０４は、図４におけるＳ４０２、及び、Ｓ４０６乃至Ｓ４０８と同様の判定を行う（Ｓ７０２）。ここでは、図４において説明した動作と同様であるため詳細な説明を省略する。
【００９３】
次に、通信制御部２０５は、第１外部装置１１２から取得した第１通信確立要求信号を、第２通信確立要求信号に変換する（Ｓ７０３）。具体的には、上記例では、通信制御部２０５は、上記第１通信確立要求信号を、「１２３４＠１９２．１６８．１．１０」及び「ｍ＝ａｕｄｉｏ」という情報を有するＩＮＶＩＴＥメッセージを含む第２通信確立要求信号に変換する。ここで、第２外部装置１１３は、ＩＰＦＡＸを行うための通信を確立する際に、一度音声データ通信用の通信を確立した後、改めてＴ．３８接続用の通信を確立する装置であることから、通信制御部２０５は、「ｍ＝ａｕｄｉｏ」という情報を有するＩＮＶＩＴＥメッセージに変換する処理を行う。なお、当該ＩＮＶＩＴＥメッセージに「０４５１１１１１１１」という送信元の外線番号を示す情報を付与してもよい。
【００９４】
次に、Ｓ７０４乃至Ｓ７０９において、Ｓ６０４乃至Ｓ６０９と同様の処理を行う。なお、Ｓ７０４における第２接続確立要求信号は、「ｍ＝ａｕｄｉｏ」という情報を有するＩＮＶＩＴＥメッセージを含むことから、Ｓ７０９におけるメッセージは、音声データ接続用の通信の確立が成功したことを示す情報である点は異なる。そして、画像形成装置１００は、第２外部装置１１３に対して「ＡＣＫ」メッセージを送信する（Ｓ７１０）。
【００９５】
次に、第１外部装置１１２は、画像形成装置１００に対して、Ｔ．３８接続用の通信の確立を要求することを示すＩＮＶＩＴＥメッセージを送信する（Ｓ７１１）。続いて、画像形成装置１００は、第１外部装置１１２に対して、Ｔ．３８接続用の通信の確立が成功したことを示す「２００  ＯＫ」メッセージを送信する（Ｓ７１２）。そして、第１外部装置１１２は、画像形成装置１００に対して、「ＡＣＫ」メッセージを送信する（Ｓ７１３）。また、画像形成装置１００は、第２外部装置１１３に対して、Ｔ．３８接続用の通信の確立が成功したことを示す「２００  ＯＫ」メッセージを送信する（Ｓ７１４）。すなわち、Ｓ７１１乃至Ｓ７１４のステップにおいて、画像形成装置１００は、第２外部装置１１３と画像形成装置１００の間で一旦確立された音声データ通信用の通信を、Ｔ．３８通信用の通信に切り替える。
【００９６】
Ｓ７１４までのステップによって、第１外部装置１１２と画像形成装置１００との間でＴ．３８接続の通信の確立し、第２外部装置１１３と画像形成装置１００との間でもＴ．３８接続用の通信が確立していることから、画像形成装置１００は、第１外部装置１１２から第２外部装置１１３へ、画像データを転送する（Ｓ７１５）。画像データの転送が終了すると、Ｓ７１６乃至Ｓ７１９において、Ｓ６１７乃至Ｓ６２０と同様の処理を行い、通信が切断される。
【００９７】
上記のように、第１外部装置１１２と画像形成装置１００との間でＴ．３８接続の通信の確立し、また、第２外部装置１１３と画像形成装置１００と間でＴ．３８接続の通信の確立することにより、ＮＧＮ等に接続された第１外部装置１１２から、イントラネットに接続された第２外部装置１１３へ画像データが転送される。
【００９８】
さらに、画像形成装置は、Ｓ７１２において、Ｓ７０１にて第１外部装置１１２からオファーされた第１帯域幅情報と、画像形成装置１００と第２外部装置１１３のネゴシエーションにより決定した第２帯域幅情報とから、帯域幅情報(第１帯域幅情報と第２帯域幅情報の示す帯域幅の小さい方)を決定し、当該決定した帯域幅を用いて、第１外部装置１１２及び第２外部装置１１３との通信を確立するメッセージを送信するようにしてもよい。
【００９９】
なお、本実施例は上記の実施例に限定されるものではなく、種々の変形が可能である。例えば、上記においては、第１通信確立要求信号が第２外部装置識別情報を含む場合について説明したが、第１通信確立要求信号が第２外部装置識別情報を含まない場合は、画像形成装置１００は、第２外部装置１１３との通信を行わない。すなわち、画像形成装置１００は、図７と同様の手順で第１外部装置１１２と通信の確立を行い、接続が切断された後、第１外部装置１１２から送信される画像データが示す画像が形成された媒体を出力する。
【０１００】
［３−５．画像データを転送する処理に関する実施例３］
上記実施例２では、第２外部装置識別情報が外線のネットワークに接続された装置を示す場合、第１外部装置１１２から第１通信確立要求信号が送信された際に、第２外部装置識別情報が示す第２外部装置１１３が通信を行う準備がされている場合について説明した。しかしながら、第２外部装置１１３が通信中の場合においては、画像形成装置１００は、以下に説明するような処理を行ってもよい。
【０１０１】
本実施例３の機能的な構成は、上記実施例２の構成と同様であり、外部装置登録信号にインターネットファクス(ダイレクトＳＭＴＰ)を用いて画像データの送信または受信をする機能の有無を示すＩＦＡＸ（ＤｉｒｅｃｔＳＭＴＰ）機能情報が含まれる点が異なる。ここでは、画像形成装置１００は、予め「有」というＩＦＡＸ（ＤｉｒｅｃｔＳＭＴＰ）機能情報を含む外部装置登録信号を取得し、当該ＩＦＡＸ（ＤｉｒｅｃｔＳＭＴＰ）機能情報が登録されているものとする。また、画像形成装置１００及び第２外部装置１１３に設定された内線番号又は外線番号、及び、ＩＰアドレス等の他の条件は実施例２と同様であるとして説明する。
【０１０２】
図８は、実施例３における、画像形成装置１００、第１外部装置１１２、及び、第２外部装置１１３が行う具体的な処理を説明するための図である。
【０１０３】
まず、Ｓ８０１乃至Ｓ８０６における処理は、Ｓ７０１乃至Ｓ７０６における処理と同じであるため、説明を省略する。次に、第２外部装置１１３は、Ｓ８０４において送信されたＩＮＶＩＴＥメッセージに対する応答として、画像形成装置１００に、第２外部装置１１３が通信中であることを示す「１８６  Ｂｕｓｙ」メッセージを送信する（Ｓ８０７）。そして、画像形成装置１００は、第２外部装置１１３に対して、第２外部装置１１３がＢｕｓｙ状態であることについて確認することを示す「ＡＣＫ」メッセージを送信する（Ｓ８０８）。なお、Ｓ８０７の時点において、第２外部装置１１３がＢｕｓｙ状態でない場合は、Ｓ８０７以降については、実施例２と同じ処理を行う。
【０１０４】
次に、判定部２０４は、第２外部装置識別情報の示す第２外部装置１１３が、インターネットファクス(ダイレクトＳＭＴP)機能を有するか否かを判定する（Ｓ８０９）。上記例では、画像形成装置１００に「ＩＦＡＸ（Ｄｉｒｅｃｔ  ＳＭＴＰ）」というＩＦＡＸ（ＤｉｒｅｃｔＳＭＴＰ）機能情報が登録されていることから、画像形成装置１００は、ＩＦＡＸ（ＤｉｒｅｃｔＳＭＴＰ）機能を有すると判定し、Ｓ８１１へ進む。一方、ＩＦＡＸ（ＤｉｒｅｃｔＳＭＴＰ）機能を有しないと判定された場合は、Ｓ８１０へ進み、画像形成装置１００は、第１外部装置１１２に対してその旨を通知し、処理を終了する（Ｓ８１０）。
【０１０５】
Ｓ８０９においてＩＦＡＸ（ＤｉｒｅｃｔＳＭＴＰ）機能を有すると判定された場合は、画像形成装置１００は、第１外部装置１１２に「１８０  Ｒｉｎｇｉｎｇ」メッセージを送信する（Ｓ８１１）。また、画像形成装置１００は、第１外部装置１１２に対して、Ｓ８０１において送信されたＩＮＶＩＴＥメッセージに対する応答として、Ｔ．３８接続用の通信の確立が成功したことを示す「２００  ＯＫ」メッセージを送信する（Ｓ８１２）。そして、第２外部装置１１３は、画像形成装置１００に対して「ＡＣＫ」メッセージを送信する（Ｓ８１３）。
【０１０６】
Ｓ８１３までのステップによって、第１外部装置１１２と画像形成装置１００との間でＴ．３８接続の通信の確立していることから、第１外部装置１１２は、画像形成装置１００に対して画像データを送信する（Ｓ８１４）。画像データの送信が終了すると、Ｓ８１５及びＳ８１６において、Ｓ６１７及びＳ６２０と同様の処理を行い、第１外部装置１１２と画像形成装置１００との間の通信が切断される（Ｓ８１５、Ｓ８１６）。
【０１０７】
そして、画像形成装置１００は、Ｓ８１４において送信された画像データを、第２外部装置１１３に対して、インターネットファクス（ＤｉｒｅｃｔＳＭＴＰ）を用いて送信する（Ｓ８１７）。ここで、画像形成装置１００は、Ｓ８１６の後、予め設定された時間が経過した後でＳ８１７のステップの処理を行ってもよい。
【０１０８】
上記のように、第１外部装置１１２から画像形成装置１００に第１通信確立要求信号が送信されたタイミングにおいて、第２外部装置１１３がＢｕｓｙ状態であっても第２外部装置１１３へ画像データが転送される。
【０１０９】
本発明は、上記の実施例に限定されるものではなく、種々の変形が可能である。画像形成装置１００の構成やフローチャートは一例であって、これに限定されるものではない。上記の実施例または変形例で示した構成と実質的に同一の構成、同一の作用効果を奏する構成または同一の目的を達成する構成で置き換えてもよい。
【符号の説明】
【０１１０】
１００  画像形成装置、１０１  制御部、１０２  表示部、１０３  入力部、１０４  記憶部、１０５  読取部、１０６  印刷部、１０７  通信部、１０８  第１通信インタフェース、１０９  第２通信インタフェース、１１０  第１ネットワーク、１１１  第２ネットワーク、１１２  第１外部装置、１１３  第２外部装置、２０１  外部装置登録信号取得部、２０２  外部装置登録部、２０３  通信確立要求信号取得部、２０４  判定部、２０５  通信制御部、２０６  出力部、２０７  認証情報記憶部。
【図１】
0006476687.tif 000002
【図２】
0006476687.tif 000003
【図３】
0006476687.tif 000004
【図４】
0006476687.tif 000005
【図５】
0006476687.tif 000006
【図６】
0006476687.tif 000007
【図７】
0006476687.tif 000008
【図８】
0006476687.tif 000009